(57)【要約】【課題】剥離したラップフィルムの先端部の全体が、ラップフィルムが巻芯に巻かれたラップ巻回体の最外周に張り付いた場合に、ラップフィルムがラップ巻回体に対してどちらの方向に巻かれているのか容易に識別することができ、短時間でラップフィルムを引き出して剥離部を形成し、ラップフィルムを使用することができる巻芯を提供することを目的とする。【解決手段】ラップフィルムを巻きつけるための巻芯において、巻き方向表示標識が外部から見うるように付されていることを特徴とするラップフィルム用の巻芯とする。【選択図】図１
2011230918.tif 000002
【特許請求の範囲】
【請求項１】
ラップフィルムを巻きつけるための巻芯において；
前記ラップフィルムを前記巻芯に巻きつけた状態で、巻き方向表示標識が外部から見うるように付されていることを特徴とする；
ラップフィルム用の巻芯。
【請求項２】
前記巻き方向表示標識が巻き方向を示す図形または記号を含むことを特徴とする；
請求項１に記載のラップフィルム用の巻芯。
【請求項３】
前記巻芯が中空の円筒形状であり；
前記巻き方向表示標識が前記巻芯の内側面の端部、側面、外側面の端部からなる群より選択された一の箇所に付されていることを特徴とする；
請求項１または請求項２に記載のラップフィルム用の巻芯。
【請求項４】
前記巻芯の最外周部に表面層を有しており、前記表面層の裏面側に前記巻芯方向表示を標識が付されていることを特徴とする；
請求項１または請求項２に記載のラップフィルム用の巻芯。
【請求項５】
請求項１乃至請求項４のいずれか１項に記載の巻芯と；
前記巻芯に巻きつけられた前記ラップフィルムとを備えることを特徴とする；
ラップ巻回体。
【請求項６】
最初の使用開始時において、前記巻き方向表示標識が前記ラップ巻回体の外部から見えるようになっていることを特徴とする；
請求項５に記載のラップ巻回体。
【請求項７】
請求項５または請求項６に記載のラップ巻回体と；
前記ラップ巻回体を収容する容器とを備える；
容器入りラップ巻回体。
【発明の詳細な説明】
【技術分野】
【０００１】
本発明は、食品包装用等のラップフィルムが巻きつけられるラップフィルム用の巻芯、当該巻芯に巻きつけられたラップフィルムと巻き芯とを備えるラップ巻回体、および当該ラップ巻回体と当該ラップ巻回体を収納する容器とを備える容器入りラップ巻回体とに関するものである。
【背景技術】
【０００２】
図６に示すように、容器入りラップ巻回体１０１はラップ巻回体１０２と、ラップ巻回体１０２を収納する容器１１４とを含んで構成される。食品包装用等に使用されるラップフィルム１１２は紙製の円筒状の巻芯１１０に巻きつけられラップ巻回体１０２として使用されるのが一般的である。このようなラップ巻回体１０２は、細長い直方体形状の紙製の容器１１４の内に収容されている。容器１１４は、上部に一面全体に渡って開放された開口１３０を有する容器本体１１５と、容器本体１１５の開口１３０を覆って蓋をするように形成され、一端にカッター１２４が形成され、他端が容器本体１１５に回動可能に連接された蓋板１２２を含んで構成されている。巻芯１１０に巻かれたラップフィルム１１２は、ポリ塩化ビニリデンを原材料とする透明フィルムである。
【０００３】
ラップフィルム１１２は、使用前は最外周部の先端部１１３のラップフィルム１１２に引出し用の紙テープ(不図示)が取り付けられている。したがって、ラップフィルム１１２を最初に使用するときは、例えば容器１１４を左手に持ち、蓋板１２２を開け、右手でこの紙テープを引っ張ればラップフィルム１１２は容器１１４内で回転しラップフィルム１１２をラップ巻回体１０２から剥離させ、容器１１４の外部へ引き出すことができる。必要な長さのラップフィルム１１２を引き出した場合には、蓋板１２２を閉め、蓋板１２２の側面１２６を左手の親指で押さえ、カッター１２４を使用してラップフィルム１１２を切断して、切り離しラップフィルム１１２を使用する。
【０００４】
蓋板１２２のカッター１２４が付いている側面１２６が覆い被さる容器本体１１５の前面１３２の長手方向の中央であって、左手の親指の真下に相当する箇所には、ラップフィルム１１２の巻き戻りを防ぐストッパ１２８が貼り付けてある。当該ストッパ１２８はラップフィルム１１２に対して自己粘着性を有し、ラップフィルム１１２がストッパ１２８に張り付き、ラップフィルム１１２の先端部１１３は、容器本体１１５の外部にラップ巻回体１０２から剥離した状態で留まる(例えば、特許文献１、図２)。
【０００５】
次回の使用時には、蓋板１２２を開けストッパ１２８に張り付いているラップフィルム１１２の先端部１１３をストッパ１２８からはがして、当該先端部１１３を再び引き出して使用する。
【先行技術文献】
【特許文献】
【０００６】
【特許文献１】特開２００９−１８４６９２号公報
【発明の概要】
【発明が解決しようとする課題】
【０００７】
しかし、何らかの理由で剥離したラップフィルム１１２の先端部１１３がストッパ１２８から外れ、先端部１１３の全体がラップ巻回体１０２の最外周に張り付いた場合には、ラップフィルム１１２の先端部１１３がどこにあるのか、またどちらの方向に巻き付いているのかを肉眼では見分けることは難しく、再びラップフィルム１１２の先端に剥離部１１９を形成するのに時間がかかってしまう。
【０００８】
すなわち、先端部１１３の全体がラップ巻回体１０２の最外周部に張り付いた場合は、修復のためには容器１１４からラップ巻回体１０２を取り出さなければならない。さらに容器１１４から取り出したラップ巻回体１０２から目を離すか、あるいは持ち替えるか、あるいはどこかに置いたりすると、ラップフィルム１１２がラップ巻回体１０２に対してどちらの方向に巻かれているのか分からなくなることがある。また、ラップフィルム１１２の先端部１１３を探す際には、例えばセロハンテープ(不図示)を使って探すことが一般的であるが、その際巻き方向が分からないと、巻き方向を見つけて剥離部１１９を形成するのに時間がかかってしまう。
【０００９】
そこで、本発明は、以上の事情に鑑みてなされたものであり、剥離したラップフィルムの先端部の全体が、ラップフィルムが巻芯に巻かれたラップ巻回体の最外周に張り付いた場合に、ラップフィルムがラップ巻回体に対してどちらの方向に巻かれているのか容易に識別することができ、短時間でラップフィルムを引き出して剥離部を形成し、ラップフィルムを使用することができる、ラップフィルム用の巻芯、ラップ巻回体、および容器入りラップ巻回体とを提供することを目的とする。
【課題を解決するための手段】
【００１０】
上記目的を達成するため、本発明の第１の態様に係るラップフィルム１２用の巻芯１０は、例えば図１、図２に示すように、ラップフィルム１２を巻きつけるための巻芯１０において；ラップフィルム１２を巻芯１０に巻きつけた状態で、巻き方向表示標識４０Ａが外部から見うるように付されていることを特徴とする。
【００１１】
このように構成すると、ラップフィルム用の巻芯は、ラップフィルムを巻芯に巻きつけた状態で、巻き方向表示標識が巻芯の外部から見うるように付されているので、剥離したラップフィルムの先端部の全体が、ラップフィルムを巻芯に巻回したラップ巻回体の最外周に張り付いた場合に、ラップフィルムがラップ巻回体に対してどちらの方向に巻かれているのか容易に識別することができ、ラップフィルムの先端部を巻き方向とは反対方向に剥がして、短時間でラップフィルムを引き出して剥離部を形成し、ラップフィルムを使用することができる。
【００１２】
本発明の第２の態様に係るラップフィルム１２用の巻芯１０は、例えば図１、図２に示すように、本発明の第１の態様に係るラップフィルム用の巻芯において、巻き方向表示標識４０Ａが巻き方向を示す図形または記号４４Ａを含むことを特徴とする。
【００１３】
このように構成すると、ラップフィルム用の巻芯は、巻き方向表示標識が巻き方向を示す図形または記号を含むので、剥離したラップフィルムの先端部の全体が、ラップフィルムを巻芯に巻回したラップ巻回体の最外周に張り付いた場合に、ラップフィルムがラップ巻回体に対してどちらの方向に巻かれているのか容易かつ確実に識別することができる。
【００１４】
本発明の第３の態様に係るラップフィルム１２用の巻芯１０は、例えば図３、図４に示すように、本発明の第１の態様または第２の態様に係るラップフィルム用の巻芯において、巻芯１０が中空の円筒形状であり；巻き方向表示標識４０Ｂ、４０Ｃ、４０Ｄが巻芯１０の内側面４６の端部４８、側面５２、外側面４７の端部４９からなる群より選択された一の箇所に付されていることを特徴とする。
【００１５】
このように構成すると、ラップフィルム用の巻芯は、巻芯が中空の円筒形状であり、巻き方向表示標識が巻芯の内側面の端部、側面、外側面の端部からなる群より選択された一の箇所に付されているので、剥離したラップフィルムの先端部の全体が、ラップフィルムを巻芯に巻回したラップ巻回体の最外周に張り付いた場合に、ラップフィルムがラップ巻回体に対してどちらの方向に巻かれているのか容易かつ確実に識別することができる。
【００１６】
本発明の第４の態様に係るラップフィルム用の巻芯１０は、例えば図１、図２に示すように、本発明の第１の態様または第２の態様に係るラップフィルム用の巻芯において、巻芯１０の最外周部分に表面層１８を有しており、表面層１８の裏面５０側に巻き方向表示標識４０Ａが付されていることを特徴とする。
【００１７】
このように構成すると、ラップフィルム用の巻芯は、表面層の裏面側に巻き方向表示標識が付されているので、表面層により巻き方向表示標識を保護し巻き方向表示標識を消えにくくすることができる。また、巻き方向表示標識を印刷した場合に、ラップフィルムに転着されるのを防ぐことができる。
【００１８】
上記目的を達成するため、本発明の第５の態様に係るラップ巻回体２は、例えば図１に示すように、本発明の第１の態様乃至第４の態様のいずれか１の態様に記載の巻芯と；巻芯１０に巻きつけられたラップフィルム１２とを備えることを特徴とする。
【００１９】
このように構成すると、ラップ巻回体は、第１の態様乃至第４の態様のいずれか１の態様に記載の巻芯を備え、当該巻芯には、巻き方向表示標識が巻芯の外部から見うるように付されているので、剥離したラップフィルムの先端部の全体がラップ巻回体の最外周に張り付いた場合に、ラップフィルムがラップ巻回体に対してどちらの方向に巻かれているのか容易に識別することができ、ラップフィルムの先端部を巻き方向とは反対方向に剥がして、短時間でラップフィルムを引き出して剥離部を形成し、ラップフィルムを使用することができる。
【００２０】
本発明の第６の態様に係るラップ巻回体２は、例えば図１に示すように、本発明の第５の態様に係るラップ巻回体において、最初の使用開始時において、巻き方向表示標識４０Ａがラップ巻回体２の外部から見えるようになっていることを特徴とする。
【００２１】
このように構成すると、ラップ巻回体は、最初の使用開始時において、巻き方向表示標識がラップ巻回体の外部から見えるようになっているので、最初の使用開始時から、ラップフィルムがラップ巻回体に対してどちらの方向に巻かれているのか容易に識別することができる。
巻き方向表示標識がラップ巻回体の外部から見えるようになっているとは、巻き方向表示標識が何にも覆われておらず、またはラップフィルムがその他の何かに覆われていても、覆っているものが透明または半透明であり光を透過し、かつ巻き方向表示標識をラップフィルムの使用者が使用時に肉眼で見えるような位置に配置されていることをいう。
【００２２】
上記目的を達成するため、本発明の第７の態様に係る容器入りラップ巻回体１は、例えば図１に示すように、第５の態様または第６の態様に記載のラップ巻回体２と；ラップ巻回体２を収容する容器１４とを備えることを特徴とする。
【００２３】
このように構成すると、容器入りラップ巻回体は、ラップ巻回体と、ラップ巻回体を収容する容器とを備えるので、剥離したラップフィルムの先端部の全体がラップ巻回体の最外周に張り付いた場合に、ラップフィルムがラップ巻回体に対してどちらの方向に巻かれているのか容易に識別することができ、ラップフィルムの先端部を巻き方向とは反対方向に剥がして、短時間でラップフィルムを引き出して剥離部を形成し、ラップフィルムを使用することができる。
【発明の効果】
【００２４】
以上説明したように、本発明のラップフィルム用の巻芯によれば、ラップフィルムを巻芯に巻きつけた状態で、巻き方向表示標識が巻芯の外部から見うるように付されているので、剥離したラップフィルムの先端部の全体が、ラップフィルムを巻芯に巻回したラップ巻回体の最外周に張り付いた場合に、ラップフィルムがラップ巻回体に対してどちらの方向に巻かれているのか容易に識別することができ、ラップフィルムの先端部を巻き方向とは反対方向に剥がして、短時間でラップフィルムを引き出して剥離部を形成し、ラップフィルムを使用することができる。
【図面の簡単な説明】
【００２５】
【図１】図１は本発明の実施の形態に係る容器入りラップ巻回体の斜視図である。
【図２】図２(ａ)は図１に示すラップ巻回体の巻芯の斜視図である。図２(ｂ)は図１に示すラップ巻回体の巻芯の表面層を一部剥がした斜視図である。
【図３】図３(ａ)は他の巻き方向表示標識が表示された巻芯の斜視図である。図３(ｂ)は図３(ａ)の巻芯のＢ部の部分拡大図である。
【図４】図４(ａ)は他の巻き方向表示標識が表示されたラップ巻回体の斜視図である。図４(ｂ)、図４(ｃ)は、図４(ａ)のラップ巻回体のＡ部の部分拡大図である。
【図５】図５(ａ)〜(ｃ)は他の巻き方向表示標識の例を示した図である。
【図６】図６は従来の容器入りラップ巻回体の斜視図である。
【発明を実施するための形態】
【００２６】
以下、本発明の実施の形態について、図面を参照して説明する。なお、各図において互いに同一あるいは相当する部材には同一符号を付し、重複した説明は省略する。
【００２７】
図１は、本実施の形態に係る容器入りラップ巻回体１の斜視図である。容器入りラップ巻回体１は、ラップ巻回体２と、当該ラップ巻回体２を収納する容器１４とを含んで構成される。本実施の形態は、ラップ巻回体２に巻き方向表示標識(以下、適宜標識)４０Ａ(図２他)がラップ巻回体２の外部から見えるように付されていることを特徴とする。
【００２８】
図１は、ラップ巻回体２に標識４０Ａが記載されている点で、図６と相違するが、その他の点では図６と共通する。すなわち、図１の内容は標識４０Ａ以外は、図６の従来のラップ巻回体１０２と共通し、背景技術の欄で説明した内容と同じである。したがって、ここでは説明を繰り返さない。なお、図１の符号と図６の符号は、一桁目と二桁目が共通する。本願のさらなる特徴を、以下に説明する。
【００２９】
図２(ａ)、(ｂ)は、図１のラップ巻回体２に用いられる巻芯１０の斜視図である。巻芯１０は、従来一般のものと同様に、ボール紙等の厚紙からなる中空の円筒形状の管状体１６と、この管状体１６の外周面上(最外周部分)に上質紙等の薄紙を螺旋状に巻き付け接着してなる表面層１８を含んで構成されている。なお、巻芯１０の材質は紙に限らず、合成樹脂であってもよい。表面層１８は、透明または半透明である。
【００３０】
この表面層１８の裏面５０(裏面５０とは表層面１８が巻芯１０に巻きつけられたときに下側(巻芯側)にくる部分をいう。)には、巻き方向表示標識４０Ａが印刷されている。標識４０Ａは、「巻き方向」の文字と、巻き方向を示す図形または記号としての矢印４４Ａからなる。標識４０Ａは、一般に、文字、図形(例えば矢印のみ)若しくは記号(例えば矢印のみ)またはこれらの結合からなるものとすることができる。標識４０Ａは、薄紙の裏面となる側の面に予め印刷されたものである。巻芯１０に表面層１８として使用される薄紙は一般的に白色で且つ非常に薄く透明または半透明であるため、印刷面を管状体１６側に向けて管状体１６に貼り付けても、標識４０Ａは巻芯１０の外側から見ることができ視認することができ、巻芯１０にラップフィルム１２が巻回された場合でも、ラップ巻回体２の外側からもラップフィルム１２を介して視認することができる。
【００３１】
表面層１８が、透明または半透明とは、表面層１８の裏面５０に標識４０Ａを印刷し、表面層１８を巻芯１０に巻きつけた場合に、標識４０Ａを視認することができる程度の透明度を表面層１８が有することをいう。また、さらにラップフィルム１２を巻芯１０に巻きつけた場合に、最初にラップフィルム１２を使用するときから、標識４０Ａを視認することができる程度に、表面層１８を通して見た標識４０Ａが鮮明であることが好ましい。
【００３２】
表面層１８の裏面５０側に標識４０Ａを印刷したのは、巻芯１０の外周面に接する部分のラップフィルム１２も使用に供されるので、印刷用インクがラップフィルム１２に転着するのを防止するためである。これによって、印刷インクの種類に注意を払う必要がなくなり、印刷という簡便な方法で標識４０Ａを巻芯１０に付すことができる。
【００３３】
このような巻芯１０にラップフィルム１２を巻き付けると、巻き数が増すにつれて標識４０Ａは見えにくくなっていく。これは、ラップフィルム１２は完全な透明ではないので、巻き数が増加すれば光の透過率も低下するためである。すなわち、ラップフィルム１２の巻き付け量が多ければ、標識４０Ａからの反射光のエネルギー量が減るため、ラップ巻回体２の外部からは標識４０Ａの見やすさが減少する。この反射光のエネルギー量は、標識４０Ａの濃淡や色等を変えることにより変化させることができる。したがって、標識４０Ａの濃淡や色等を適宜調整するにより、ラップフィルム１２の最初の使用開始時において、多くの人間が標識４０Ａを見うる状態とすることができる。この場合、一般家庭のキッチンでの蛍光灯のワット数等を考慮して最適な条件を見いだすことが好ましい。なお、色彩については、食品用であることから、明るい色合いが好ましく、例えば赤色系が好ましい。但し、黄色系では見にくいことがある。
【００３４】
巻芯１０に巻かれたラップフィルム１２は、ポリ塩化ビニリデンを原材料とする透明フィルムであるが、ポリ塩化ビニル、ポリエチレン、ポリメチルペンテン、もしくはこれらを組み合わせた多層ラップフィルムであってもよい。
【００３５】
本実施の形態の容器入りラップ巻回体２によれば、ラップフィルム１２用の巻芯１０を備えるラップ巻回体２を備え、ラップフィルム１２を巻芯１０に巻きつけた状態で、巻き方向表示標識４０Ａが巻芯の外部、およびラップ巻回体２の外部から見うるように付されているので、剥離したラップフィルム１２の先端部１３の全体がラップ巻回体２の最外周に張り付いた場合に、ラップフィルム１２がラップ巻回体２に対してどちらの方向に巻かれているのか容易に識別することができ、ラップフィルム１２の先端部を巻き方向とは反対方向に剥がして、短時間でラップフィルム１２を引き出して剥離部１９を形成し、ラップフィルム１２を使用することができる。
【００３６】
ラップフィルム１２を巻芯１０に巻きつけた状態で、巻き方向表示標識４０Ａが巻芯１０の外部、およびラップ巻回体２の外部から見えるようになっているとは、巻き方向表示標識４０Ａがラップフィルムに覆われておらず、または巻き方向表示標識４０Ａがラップフィルム１２に覆われていても、ラップフィルム１２が透明または半透明であり光を透過し、かつ、巻き方向表示標識４０Ａが、ラップフィルム１２の使用者が肉眼で見えるような位置に配置されていることをいう。
【００３７】
ラップフィルムが透明、または半透明とは、ラップフィルムを巻芯に巻きつけた状態で、最初の使用時から巻芯の最外周に記載した（巻芯の表面層の表面側、裏面側に記載した場合を含む）文字、図形、記号が外部から見えるような透明度をラップフィルムが有することをいう。
【００３８】
図３(ａ)は、図２の標識４０Ａとは異なる形態の巻き方向表示標識４０Ｂが表示された巻芯１０の斜視図である。図３(ｂ)は巻芯１０の図中のＢ部の部分拡大図である。巻芯１０の内側面４６の端部(巻芯の内側面の端部)４８には、標識４０Ｂが印刷されている。標識４０Ｂは、「巻き方向」の文字と、巻き方向を示す図形または記号である矢印４４Ｂからなる。端部４８は、標識４０Ｂが巻芯１０の外側から見ることができ視認することができる部分である。
【００３９】
図４(ａ)は、図２の標識４０Ａとは異なる形態の標識４０Ｃ(図４(ｂ))、４０Ｄ(図４(ｃ))が表示された巻芯１０にラップフィルム１２が巻回されたラップ巻回体２の斜視図である。
図４(ｂ)は図４(ａ)のラップ巻回体２の図中のＡ部の部分拡大図である。標識４０Ｃは、「巻き方向」の文字と、巻き方向を示す図形または記号である矢印４４Ｃからなり、巻芯１０の側面５２に印刷されている。
【００４０】
図４(ｃ)は図４(ａ)のラップ巻回体２の図中のＡ部の部分拡大図である。標識４０Ｄも、同様に「巻き方向」の文字と、巻き方向を示す図形または記号である矢印４４Ｄからなり、巻芯１０の外側面４７の端部４９であって、ラップフィルム１２が巻回されていない端部(巻芯の外側面の端部)４９に印刷されている。
【００４１】
標識４０Ｄは、巻芯１０の表面層１８の表面５１側、あるいは裏面５０側であって、ラップフィルム１２が巻回されていない表面層１８の端部１１に印刷してもよい。
【００４２】
このように、ラップフィルム１２に覆われていない巻芯１０の箇所に標識４０Ｂ、４０Ｃ、４０Ｄを付することにより、ラップフィルム１２が厚く巻かれている場合、またはラップフィルム１２の透明度が低い場合にも、巻き方向を容易かつ確実に識別することができる。
【００４３】
図５(ａ)は、他の形態の標識４０Ｅを示す。矢印４４Ｅが、中抜きで太く描かれた例である。
【００４４】
図５(ｂ)は、ラップフィルム１２(図１)の引き出し方向を示す引き出し方向表示標識(以下、適宜標識)４２Ａを示す。引き出し方向は巻き方向と同じであるので、引き出し方向表示標識は、巻き方向表示標識の一形態である。
【００４５】
図５(ｃ)は、図５(ｂ)とは異なる形態の引き出し方向表示標識４２Ｂである。引き出し方向が手の親指にて示されているが、このように方向が分かる図形または記号による表示も巻き方向表示標識の一形態である。
【符号の説明】
【００４６】
１  容器入りラップ巻回体
２  ラップ巻回体
１０  巻芯
１１  端部
１２  ラップフィルム
１３  先端部
１４  容器
１５  容器本体
１６  管状体
１８  表面層
１９  剥離部
２２  蓋板
２４  カッター
２６  側面
２８  ストッパ
３０  開口
３２  前面
４０Ａ、４０Ｂ、４０Ｃ、４０Ｄ、４０Ｅ  巻き方向表示標識
４２Ａ、４２Ｂ  引き出し方向表示標識(巻き方向表示標識)
４４Ａ、４４Ｂ、４４Ｃ、４４Ｄ、４４Ｅ  矢印(図形または記号)
４６  内側面
４７  外側面
４８、４９  端部
５０  裏面
５１  表面
５２  側面
【図１】
2011230918.tif 000003
【図２】
2011230918.tif 000004
【図３】
2011230918.tif 000005
【図４】
2011230918.tif 000006
【図５】
2011230918.tif 000007
【図６】
2011230918.tif 000008